(57)【要約】【課題】  空気調和機室外機の圧縮機から発生する騒音をより効率よく吸収する。【解決手段】  外部空気が吸入される吸入グリル部が形成される後面パネルと、吸入空気が吐出される吐出グリル部が形成される前面パネルとを備えるケーシングと；ケーシングの吐出グリル部の後方に備えられ、外部空気を吸入するための送風ファンと；送風ファンの後方に備えられ、吸入グリル部に吸入される空気と冷媒とを熱交換させる熱交換機と；ケーシングの前面パネル及び後面パネルに備えられる吸音材と；吸音材が備えられる前面パネル及び後面パネルへ騒音が集中放射されるように結合される圧縮機及びアキュームレータと；圧縮機とアキュームレータとの周りを囲むように設けられる吸遮音材と；送風ファン及び熱交換機が設けられる空間と、圧縮機が設けられる空間とを区画する遮音壁と、を含んで構成される。【選択図】      図３
0003107604.tif 000002
【実用新案登録請求の範囲】
【請求項１】
外部空気が吸入される吸入グリル部が形成される後面パネルと、吸入された空気が吐出される吐出グリル部が形成される前面パネルとを備えるケーシングと；
前記ケーシングの吐出グリル部の後方に備えられ、外部空気を吸入するための送風ファンと；
前記送風ファンの後方に備えられ、前記吸入グリル部に吸入される空気と冷媒を熱交換させる熱交換機と；
前記ケーシングの前面パネル及び後面パネルに備えられる吸音材と；
互いに結合される圧縮機及びアキュームレータであって、圧縮機とアキュームレータとの結合方向に垂直な方向に騒音が集中放射するようになっており、前記吸音材が備えられる前記前面パネル及び前記後面パネルに騒音が集中放射されるように互いに結合される圧縮機及びアキュームレータと；
前記圧縮機と前記アキュームレータとの周りを囲むように設けられる吸遮音材と；
前記送風ファン及び前記熱交換機が設けられる空間と、前記圧縮機が設けられる空間とを区画する遮音壁と、
を含んで構成される、前記圧縮機から発生する騒音を低減するための空気調和機室外機の騒音低減構造。
【請求項２】
前記圧縮機と前記アキュームレータとの中心を結ぶ線が前記前面パネルにほぼ平行になるように前記圧縮機と前記アキュームレータを設けることを特徴とする請求項１記載の空気調和機室外機の騒音低減構造。
【請求項３】
前記圧縮機と前記アキュームレータとの中心を結ぶ線が前記前面パネルに平行な軸に対して３０゜以下の範囲に傾くように前記圧縮機と前記アキュームレータを設けることを特徴とする請求項１記載の空気調和機室外機の騒音低減構造。
【請求項４】
前記ケーシングの側面に前記吸音材が更に備えられることを特徴とする請求項３記載の空気調和機室外機の騒音低減構造。
【請求項５】
前記ケーシング壁面に備えられる吸音材は繊維材料系列であることを特徴とする請求項１ないし請求項４の何れかに記載の空気調和機室外機の騒音低減構造。
【考案の詳細な説明】
【技術分野】
【０００１】
本考案は空気調和機室外機に関するもので、特に空気調和機室外機に備えられる圧縮機が発生させる騒音を低減するための空気調和機室外機の騒音低減構造に関する。
【背景技術】
【０００２】
一般に空気調和機は室内を冷暖房させるために使用される装置であって、大きく室内に設けられ冷媒の膨張及び蒸発作用の行われる室内機と、室外に設けられ冷媒の圧縮及び凝縮作用の行われる室外機とから構成されている。
【０００３】
図１は従来の空気調和機の室外機を示す分解斜視図である。
【０００４】
図示したように、従来の空気調和機の室外機は、前面パネル１１、後面パネル１２、ベースパネル１３がケーシング１０を成し、前記前面パネル１１と後面パネル１２との間にファン２１、モータ２２、熱交換機３０が順に設けられ、遮音壁４０により区画された前記ベースパネル１３の他側に圧縮機５１とアキュームレータ５２が設けられる。
【０００５】
このように構成された従来の空気調和機室外機は前記圧縮機５１により圧縮された冷媒が前記熱交換機３０へ送られ、前記ファン２１の回転により吸入された外部空気が冷媒と熱交換を行い、その熱交換された冷媒は室内機へ送られ、空気はケーシングの前面パネル１１を介して外部へ吐出される。
【０００６】
ところが、空気調和機の室外機は圧縮機５１が冷媒を圧縮しつつ大きな騒音を発生させ、このように発生した騒音は室外機の外部に放射され、製品品質に悪い影響を与える。
【０００７】
そのため、前記圧縮機５１の騒音を吸収して室外機の騒音を低減するための様々な方法が試されている。
【０００８】
かかる方法として、前記圧縮機５１の周りに吸遮音材を設け、前記前面パネル１１及び後面パネル１２には吸音材を設け、前記吸遮音材で前記圧縮機５１の騒音を減らした後、前記吸音材で前記圧縮機５１の騒音を更に低減しようとする発明が開示されてきた。
【０００９】
しかし、従来は前記圧縮機５１の騒音を低減するために前記前面パネル１１及び後面パネル１２に吸音材を設けるに当たって、前記圧縮機５１の騒音を効率よく低減するための設置位置や、材料に対する研究無しで、つまり、圧縮機５１の騒音放射特性は考慮しないまま、単に前記前面パネル１１及び後面パネル１２に吸音材を設けることに過ぎなかった。従って、圧縮機５１の騒音を効率よく遮断することができず、余計な吸音材の使用が多くなる不具合があった。
【考案の開示】
【考案が解決しようとする課題】
【００１０】
本考案は上記のような問題を解決するために成されたもので、空気調和機室外機の主騒音源の圧縮機から発生する騒音をより効率よく吸収して吸遮音材及び吸音材の使用を最小化し且つ空気調和機室外機の騒音低減を最大化することにその目的がある。
【課題を解決するための手段】
【００１１】
上記目的を達成するための本考案の実施形態によれば、外部空気が吸入される吸入グリル部が形成される後面パネルと、吸入された空気が吐出される吐出グリル部が形成される前面パネルとを備えるケーシングと；前記ケーシングの吐出グリル部の後方に備えられ、外部空気を吸入するための送風ファンと；前記送風ファンの後方に備えられ、前記吸入グリル部に吸入される空気と冷媒を熱交換させる熱交換機と；前記ケーシングの前面パネル及び後面パネルに備えられる吸音材と；互いに結合される圧縮機及びアキュームレータであって、圧縮機とアキュームレータとの結合方向に垂直な方向に騒音が集中放射するようになっており、前記吸音材が備えられる前記前面パネル及び前記後面パネルに騒音が集中放射されるように互いに結合される圧縮機及びアキュームレータと；前記圧縮機と前記アキュームレータとの周りを囲むように設けられる吸遮音材と；前記送風ファン及び前記熱交換機が設けられる空間と、前記圧縮機が設けられる空間とを区画する遮音壁と、を含んで構成される、前記圧縮機から発生する騒音を低減するための空気調和機室外機の騒音低減構造が提供される。
【考案の効果】
【００１２】
本考案の空気調和機室外機によれば、まず、圧縮機の騒音発生特性に合わせて騒音放射の最も多い方向に吸音材を設置することによって空気調和機室外機の騒音を効率よく低減することができる。
【００１３】
また、前述したように吸音材を設置することで余計な吸音材の使用を防止し製造費用を節減できる。
【考案を実施するための最良の形態】
【００１４】
以下、本考案の好ましい実施形態を図２ないし図６を参照して説明する。
【００１５】
図２は本考案の実施形態による空気調和機室外機の分解斜視図であり、図３は本考案の実施形態による空気調和機室外機の上面断面図である。
【００１６】
図示したように、本考案の実施形態による空気調和機室外機（以下、室外機と略称する）は内部空気を吐出する吐出グリル部１１１ａが形成された前面パネル１１１と、外部空気を吸入する吸入グリル部１１２ａが形成された後面パネル１１２と、底面をなすベースパネル１１３とが結合されケーシング１１０を構成する。
【００１７】
そして、前記前面パネル１１１に形成された吐出グリル部１１１ａの後方には外部空気を吸入するための送風ファン１２１とモータ１２２とが結合され、前記モータ１２２と前記後面パネル１１２との間には前記吸入グリル部１１２ａへ吸入された空気を凝縮する熱交換機１３０が設けられる。
【００１８】
また、前記ケーシング１１０内に遮音壁１４０を使用して前記送風ファン１２１、前記モータ１２２、前記熱交換機１３０が設けられた空間から空間を区画し、このように区画した空間（図３の右側部）には冷媒を圧縮する圧縮機１５１を設ける。
【００１９】
そして、前記圧縮機１５１にはアキュームレータ１５２を結合し、前記圧縮機１５１と前記アキュームレータ１５２の周りに吸遮音材１６１を設け、前記圧縮機１５１の前方及び後方に備えられる前面パネル１１１及び後面パネル１１２には吸音材１６２を設ける。
【００２０】
一方、前記圧縮機１５１と前記アキュームレータ１５２の周りに設けられる吸遮音材１６１は吸音材１６１ａと遮音材１６１ｂとを結合したもので、前記吸音材１６１ａが内側に、前記遮音材１６１ｂが外側に位置するように結合して前記吸音材１６１ａが騒音源の圧縮機１５１と対向するように設ける。
【００２１】
特に、本考案では前記アキュームレータ１５２を前記圧縮機１５１に結合するに当たって、前記圧縮機１５１と前記アキュームレータ１５２との中心を結んだ線（Ａ）が、前記前面パネル１１１にほぼ平行になるように結合する。
【００２２】
本考案で前記圧縮機１５１と前記アキュームレータ１５２とを上記のように結合する理由は以下の通りである。
【００２３】
中心周波数が６３０Ｈｚと３１５０Ｈｚであるときの圧縮機の騒音放射特性の実験結果によれば、圧縮機の騒音が圧縮機とアキュームレータとの結合方向に垂直な方向に集中放射することが確認されている。また、圧縮機とアキュームレータとを結合する角度に従って圧縮機の騒音を特定方向に集中放射することが可能であることが確認されている。
【００２４】
ところが、室外機の構造上前記圧縮機１５１から発生する騒音を吸収するための吸音材１６２の最も適した設置位置は前記ケーシングの前面パネル１１１と後面パネル１１２である。
【００２５】
即ち、本考案は前記のような圧縮機の騒音放射特性を用いて、圧縮機１５１からの騒音がケーシングの前面パネル１１１と後面パネル１２側へ集中放射するように圧縮機１５１とアキュームレータ１５２とを結合するのである。
【００２６】
従って、前記のように構成される本考案の室外機では、圧縮機１５１から放射する騒音がケーシングの前面パネル１１１及び後面パネル１１２にほぼ垂直な方向に集中放射され、このように放射した騒音は一次的に圧縮機１５１とアキュームレータ１５２との周りを囲んだ吸遮音材１６１によって吸収遮断される。
【００２７】
そして、前記吸遮音材１６１を通過した騒音は再び前記前面パネル１１１と前記後面パネル１１２に設けられた吸音材１６２によって吸収され低減されるのである。
【００２８】
一方、図４は本考案の実施形態による室外機圧縮機部の上面拡大断面図であって、圧縮機１５１とアキュームレータ１５２との中心を結ぶ線（Ａ）が前面パネル１１１と平行な軸（Ｂ）に対して一定の角度（θ）傾くように前記圧縮機１５１と前記アキュームレータ１５２とを結合したものを示す。
【００２９】
本考案による圧縮機１５１とアキュームレータ１５２との結合は、前記圧縮機の騒音放射特性で説明したように、前面パネル１１１に平行になるようにするのが最も好ましい。
【００３０】
ところが、圧縮機１５１とアキュームレータ１５２との中心を結ぶ線（Ａ）の前面パネル１１１と平行な軸（Ｂ）に対する角度（θ）があまり大きくない範囲内では、圧縮機１５１から放射する騒音は前面パネル１１１と後面パネル１１２に対してある程度垂直方向を保持し、前面パネル１１１と後面パネル１１２に設けられた吸音材１６２によって効率よく吸収されることができる。
【００３１】
かかる前記角度（θ）は３０°以下が好ましく、それ以上の角度（θ）では前記ケーシング１１０の側面に向かって放射する騒音が大きく増加するため、圧縮機１５１の騒音が前記吸音材１６２によって効果的に吸収されず、ケーシング１１０の側面を介して外部へ放射されることがある。
【００３２】
図５は繊維材料系列の吸音材とフォーム（foam）系列吸音材との吸音率を比較したもので、点線は測定値を、実線は最適値を示しており、図示したように、フォーム系列に比べ繊維材料系列の騒音吸収性能が優れていることが分かる。
【００３３】
従って、前記ケーシングの前面パネル１１１と後面パネル１１２には厚さが薄く、且つ吸音効果の優れた繊維材料系列の吸音材１６２を使用するのが好ましい。
【００３４】
図６は本考案の実施形態による室外機と従来の室外機との騒音程度を比較したものである。
【００３５】
図示したように、圧縮機１５１とアキュームレータ１５２との周りを吸遮音材１６１で囲み、ケーシング１１０の壁面に吸音材１６２を設けた本考案は従来吸音材を使用しなかった室外機に比べ騒音が著しく低減していることが分かる。
【００３６】
一方、本考案は圧縮機１５１の騒音をケーシングの前面パネル１１１と後面パネル１１２の側に放射し、吸音材１６２を前記前面パネル１１１と前記後面パネル１１２は勿論、ケーシング１１０の側面にまで設置すると、圧縮機１５１の騒音を更に低減することができる。
【００３７】
以下では本考案による空気調和機室外機の騒音低減方法について説明する。
【００３８】
即ち、本考案の騒音低減方法は、前述した圧縮機の騒音放射特性を用いたもので、ケーシング１１０内部の最も設置の容易な位置に前記吸音材１６２を設置し、その吸音材１６２に向かって騒音が集中放射するように圧縮機１５１とアキュームレータ１５２とを結合するのである。
【００３９】
一方、本考案の室外機においては前面パネル１１１と後面パネル１１２が吸音材１６２の設置のために最も適した位置である。
【００４０】
しかし、他形態の室外機では最も設置の容易な部分が他の位置であり得るから、かかる位置に吸音材を設置して、圧縮機の騒音が前記吸音材へ集中放射されるように圧縮機とアキュームレータを設置できる。
【００４１】
上記のような本考案は空気調和機の室外機だけでなく、ケーシングとそのケーシング内部に圧縮機とアキュームレータが設けられる構造の他のもの、例えば、冷蔵庫などにも利用可能である。
【図面の簡単な説明】
【００４２】
【図１】従来の空気調和機室外機を示す分解斜視図。
【図２】本考案の実施形態による空気調和機室外機の分解斜視図。
【図３】本考案の実施形態による空気調和機室外機の上面断面図。
【図４】本考案の実施形態による空気調和機室外機の圧縮機部上面の拡大断面図。
【図５】繊維材料系列吸音材とフォーム系列吸音材との吸音率を比較した図。
【図６】本考案の実施形態による空気調和機室外機と従来の空気調和機室外機との騒音程度を示す図。
【図１】
0003107604.tif 000003
【図２】
0003107604.tif 000004
【図３】
0003107604.tif 000005
【図４】
0003107604.tif 000006
【図５】
0003107604.tif 000007
【図６】
0003107604.tif 000008